(57)【要約】【課題】本発明は、前蓋と取付ベース板と玉座りホルダとを一体とし、玉の発射精度を向上させることを目的とする。【解決手段】本発明によるパチンコ発射機の構造は、モータ部(3)の前蓋(4)と、発射機構部(2)の取付ベース板(1)と、前記取付ベース板(1)に設けられた玉座りホルダ(13)とを接続部のない一体形成として発射機取付体(30)を形成する構成である。【選択図】図１
2007097990.tif 000002
【特許請求の範囲】
【請求項１】
モータ部(3)と発射機構部(2)とからなるパチンコ発射機の構造において、
前記モータ部(3)の前蓋(4)と、前記発射機構部(2)の取付ベース板(1)と、前記取付ベース板(1)に設けられた玉座りホルダ(13)とを接続部のない一体形成として発射機取付体(30)を構成することを特徴とするパチンコ発射機の構造。
【請求項２】
前記発射機取付体(30)の裏面(30b)には複数の発射機取付面(20)が形成され、前記各発射機取付面(20)は前記モータ部(3)の外側に配設されていることを特徴とする請求項１記載のパチンコ発射機の構造。
【請求項３】
前記発射機取付体(30)は、樹脂成形又は金属射出成形又はダイキャスト成形により一体成形されていることを特徴とする請求項１又は２記載のパチンコ発射機の構造。
【請求項４】
前記発射機取付体(30)は、アルミニウム板からの削り出しにより一体形成されていることを特徴とする請求項１又は２記載のパチンコ発射機の構造。
【発明の詳細な説明】
【技術分野】
【０００１】
本発明は、パチンコ発射機の構造に関し、特に、モータ部の前蓋と、発射機構部の取付ベース板と、取付ベース板に設けられた玉座りホルダとを一体形成又は削り出しにより一体に形成することにより、発射精度の向上及び組立調整作業の容易化を達成するための新規な改良に関する。
【背景技術】
【０００２】
従来、用いられていたこの種のパチンコ発射機の構造としては、例えば、特許文献１及び２等に採用されている構成を図４から図６に示すことができる。
すなわち、図４から図６において符号１で示されるものは発射機構部２の取付ベース板であり、この取付ベース板１の裏面１ａにはモータ部３が取付けられている。
【０００３】
前記モータ部３は、前蓋４、後蓋５、ステータ鉄心６及びベアリング７に支持されたロータ(図示せず)及びカラー８Ａを有する軸８から構成され、前記前蓋４が前記取付ベース板１にモータ固定ねじ９によって取付けられることにより、モータ部３は前記取付ベース板１に取付けられている。
【０００４】
前記発射機構部２は、前記取付ベース板１、前記軸８に取付けられたノックアーム１０、前記ノックアーム１０に設けられた槌先１１、玉座りホルダ取付面１３Ａを介して取付ベース板１に設けられ玉１２を案内するための玉座りホルダ１３、及び一対のゴム１４，１５を有するゴムホルダ１６，１７から構成されている。尚、前記取付ベース板１は図示しないパチンコ発射機の取付面に対し、図６の発射機取付面２０を用いて取付けられている。
【０００５】
前述の構成において、モータ部３の有限角回転によってノックアーム１０が駆動され、ノックアーム１０の先端の槌先１１により、玉座りホルダ１３上の玉１２を打つことによって発射することができる。
【０００６】
【特許文献１】特開２０００−１５７６６６号公報
【特許文献２】特開２０００−２７９５８２号公報
【発明の開示】
【発明が解決しようとする課題】
【０００７】
従来のパチンコ発射機は、以上のように構成されていたため、次のような課題が存在していた。
一般に、パチンコ発射機の重要な仕様として、玉の発射精度（方向性及び飛距離）があり、この発射精度を良くさせることが、常時安定した位置に玉を発射させるための１つの要因である。
前記発射精度とは、パチンコ台の盤面に対して如何に玉が平行に発射され、かつ、発射された玉がパチンコ台のレール上の同じ位置に着座するかによるものである。
【０００８】
前記発射精度を良くするためには、次の２つのポイントがある。
（１）玉を打つまでの過程では、ノックアーム先端の槌先が取付ベースに対して平行でかつ槌先端面（玉接触面）が直角な状態で、この槌先端面の中心を玉の中心に接触させることがポイントである。
（２）玉を打った後の過程では、玉を打った後の方向は玉を保持しておく玉座り座金の取付精度に影響するため、玉座り座金も取付ベース板に対して平行に取付けることがポイントである。
従って、従来のパチンコ発射機の構成上、発射精度に関わる部品（前蓋、後蓋、ステータ鉄心、軸、ベアリング、カラー、取付ベース、ノックアーム、槌先、玉座りホルダ）の寸法精度誤差の蓄積が発射精度に悪影響を与えていた。
特に、プレス加工品である「取付ベース板」においては、その取付面と発射機構部品の取付面の平行度が他部品に比べて寸法精度を出すことが難しく、精度誤差が１桁悪い状況となっていた。
そのため、パチンコ発射機を組立てた後に、全てのパチンコ発射機の発射精度調整を行っており、生産作業上の作業効率が悪くなっていた。
【課題を解決するための手段】
【０００９】
本発明によるパチンコ発射機の構造は、モータ部と発射機構部とからなるパチンコ発射機の構造において、前記モータ部の前蓋と、前記発射機構部の取付ベース板と、前記取付ベース板に設けられた玉座りホルダとを接続部のない一体形成として発射機取付体とする構成であり、また、前記発射機取付体の裏面には複数の発射機取付面が形成され、前記各発射機取付面は前記モータ部の外側に配設されている構成であり、また、前記発射機取付体は、樹脂成形又は金属射出成形又はダイキャスト成形により一体成形されている構成であり、また、前記発射機取付体は、アルミニウム板からの削り出しにより一体形成されている構成である。
【発明の効果】
【００１０】
本発明によるパチンコ発射機の構造は、以上のように構成されているため、次のような効果を得ることができる。
すなわち、モータ部の前蓋と、発射機構部の取付ベース板と、この取付ベース板の玉座りホルダとを、樹脂、金属等による一体成形、又は、金属板からの削り出しによって、接続部のない一体形成としたため、パチンコ台に対する取付位置及び各部品の取付位置が設計値通りに再現され、発射精度（方向性、飛距離）誤差の低減、組立後の調整作業の効率改善、部品点数の削減、組立作業の効率改善、部品点数の削減に伴う製品の低価格化を達成することができる。
【発明を実施するための最良の形態】
【００１１】
本発明は、モータ部の前蓋と、発射機構部の取付ベース板と、取付ベース板に設けられた玉座りホルダとを一体成形又は削り出しにより一体に形成することにより、玉の発射精度（方向性と飛距離）の誤差を組立段階で低減させ、組立調整の作業効率を改善するようにしたパチンコ発射機の構造を提供することを目的とする。
【実施例】
【００１２】
以下、図面と共に本発明によるパチンコ発射機の構造の好適な実施の形態について説明する。
尚、従来例と同一又は同等部分には同一符号を付して説明する。
図１から図３において符号１で示されるものは、発射機後部２の取付ベース板であり、この取付ベース板１は、従来のように、取付ベース板１として独立しているのではなく、モータ部３の前蓋４と図２で示される玉座りホルダ１３とが、樹脂成形、金属射出成形、ダイキャスト、アルミニウム板の削り出し等の何れかによって接続部のない一体形成で構成され、前記前蓋４、取付ベース板１及び玉座りホルダ１３とにより一体の発射機取付体３０を構成している。従って、この発射機取付体３０を介して前記発射機構部２とモータ部３とが一体に形成されている。
【００１３】
前記発射機取付体３０の裏面３０ｂには、モータ部３が設けられ、このモータ部３は、前記前蓋４、後蓋５、ステータ鉄心６及びベアリング７に支持されたロータ（図示せず）及びカラー８Ａを有する軸８から構成されている。
【００１４】
前記発射機構部２は、前記発射機取付体３０の表面３０ａ側で、取付ベース板１、前記軸８に取付けられたノックアーム１０、前記ノックアーム１０に設けられた槌先１１、玉座りホルダ取付面１３Ａを介して前記取付ベース板１に設けられ玉１２を案内するための玉座りホルダ１３、及び一対のゴム１４，１５を有するゴムホルダ１６，１７から構成されている。
尚、前記発射機取付体３０の取付ベース板１は、前記モータ部３の外側に位置する４個（４個以外も可能）の発射機取付面２０（図３）を用いて図示しないパチンコ発射機の取付面に取付けられる。
【００１５】
前述の構成において、モータ部３の有限角回転によってノックアーム１０が駆動され、ノックアーム１０の先端の槌先１１により、玉座りホルダ１３上の玉１２を打つことによって発射することができる。
【産業上の利用可能性】
【００１６】
本発明は、パチンコ発射機だけではなく、回転型のアクチュエータにも適用可能である。
【図面の簡単な説明】
【００１７】
【図１】本発明によるパチンコ発射機の構造を示す正面図である。
【図２】図１の右側面図である。
【図３】図１の左側面図である。
【図４】従来構成の正面図である。
【図５】図４の右側面図である。
【図６】図４の左側面図である。
【符号の説明】
【００１８】
１    取付ベース板
２    発射機構部
３    モータ部
４    前蓋
５    後蓋
６    ステータ鉄心
７    ベアリング
８    軸
８Ａ    カラー
１０    ノックアーム
１１    槌先
１３    玉座りホルダ
１３Ａ    玉座りホルダ取付面
２０    発射機取付面
３０    発射機取付体
３０ａ    表面
３０ｂ    裏面
【図１】
2007097990.tif 000003
【図２】
2007097990.tif 000004
【図３】
2007097990.tif 000005
【図４】
2007097990.tif 000006
【図５】
2007097990.tif 000007
【図６】
2007097990.tif 000008